(57)【要約】【課題】軒先の外観品質を向上させることができる庇パラペットおよび庇パラペットの交換方法を提供する。【解決手段】屋根材の軒先の下方に配置された梁には、複数のアームが前方へ延設されており、各アームの先端部には、それぞれ固定ブラケットが固定されている。これらの固定ブラケットには複数の既存の庇パラペットが並列して取り付けられている。これらの既存の庇パラペットを交換するときに使用される庇パラペット１には、庇パラペット１を固定ブラケット１０４に仮置きさせて固定ブラケット１０４への取り付け位置を調整する位置調整部１１２ａが設けられている。【選択図】図３
2015221988.tif 000002
【特許請求の範囲】
【請求項１】
屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットにおいて、
前記庇パラペットに、当該庇パラペットを前記固定ブラケットに仮置きさせて前記固定ブラケットへの取り付け位置を調整する位置調整部を設けたことを特徴とする庇パラペット。
【請求項２】
請求項１に記載の庇パラペットにおいて、
前記位置調整部は、前記固定ブラケットの上部に係止することにより当該庇パラペットを前記固定ブラケットに仮置きさせるものであることを特徴とする庇パラペット。
【請求項３】
請求項１または請求項２に記載の庇パラペットにおいて、
前記庇パラペットは、上下に分割された庇パラペット上部材と庇パラペット下部材とから形成され、前記庇パラペット上部材に前記位置調整部を設けたことを特徴とする庇パラペット。
【請求項４】
請求項３に記載の庇パラペットにおいて、
前記庇パラペット上部材は、更に上下に分割された庇パラペット第１上部材と庇パラペット第２上部材とから形成されることを特徴とする庇パラペット。
【請求項５】
請求項３または請求項４に記載の庇パラペットにおいて、
前記庇パラペット上部材と前記庇パラペット下部材は、嵌合によって接合することにより前記庇パラペットを形成することを特徴とする庇パラペット。
【請求項６】
請求項３〜請求項５のいずれか１項に記載の庇パラペットにおいて、
前記庇パラペット下部材は、前記固定ブラケットの底面を覆う底部を有し、当該底部に段差部を設けたことを特徴とする庇パラペット。
【請求項７】
屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットの交換方法において、
前記庇パラペットに請求項１〜請求項６のいずれか１項に記載の庇パラペットを使用し、当該庇パラペットの位置調整部で前記固定ブラケットへの取り付け位置を調整した後に当該庇パラペットを前記固定ブラケットに取り付けることを特徴とする庇パラペットの交換方法。
【発明の詳細な説明】
【技術分野】
【０００１】
本発明は、庇パラペットおよび庇パラペットの交換方法に関する。
【背景技術】
【０００２】
従来から建物の屋上等には、屋根材の軒先の鼻隠し部分に複数の庇パラペットが並列して設けられている（特許文献１−３参照）。軒先の下方には梁が軒先に沿うように配置されており、この梁には複数のアームが前方へ延設されている。各庇パラペットは、この複数のアームの先端部にそれぞれ固定された複数の固定ブラケットを介して取り付けられている。
【先行技術文献】
【特許文献】
【０００３】
【特許文献１】特開２００２−１０６１２９号公報
【特許文献２】実開平６−４４８９８号公報
【特許文献３】特開２００２−１０６１２８号公報
【発明の概要】
【発明が解決しようとする課題】
【０００４】
しかしながら、従来の庇パラペットでは、庇パラペットを固定ブラケットに取り付けたときに、隣接する庇パラペットの目地（継ぎ目）の間隔や並びにばらつきが生じてしまい、軒先の外観品質が損なわれてしまう問題がある。
【０００５】
本発明は、このような従来の課題に鑑みてなされたものであり、軒先の外観品質を向上させることができる庇パラペットおよび庇パラペットの交換方法を提供することを目的とする。
【課題を解決するための手段】
【０００６】
本発明者等は、鋭意研究の結果、前記課題を解決するために以下のような庇パラペットおよび庇パラペットの交換方法を採用した。
【０００７】
本発明の庇パラペットは、屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットにおいて、
前記庇パラペットに、当該庇パラペットを前記固定ブラケットに仮置きさせて前記固定ブラケットへの取り付け位置を調整する位置調整部を設けたことを特徴とする。
【０００８】
また、本発明の庇パラペットにおいて、前記位置調整部は、前記固定ブラケットの上部に係止することにより当該庇パラペットを前記固定ブラケットに仮置きさせるものであることが好ましい。
【０００９】
また、本発明の庇パラペットにおいて、前記庇パラペットは、上下に分割された庇パラペット上部材と庇パラペット下部材とから形成され、前記庇パラペット上部材に前記位置調整部を設けることが好ましい。
【００１０】
また、本発明の庇パラペットにおいて、前記庇パラペット上部材は、更に上下に分割された庇パラペット第１上部材と庇パラペット第２上部材とから形成されることが好ましい。
【００１１】
また、本発明の庇パラペットにおいて、前記庇パラペット上部材と前記庇パラペット下部材は、嵌合によって接合することにより前記庇パラペットを形成することが好ましい。
【００１２】
また、本発明の庇パラペットにおいて、前記庇パラペット下部材は、前記固定ブラケットの底面を覆う底部を有し、当該底部に段差部を設けることが好ましい。
【００１３】
また、本発明の庇パラペットの交換方法は、屋根材の軒先の下方に当該軒先に沿うように梁が配置され、当該梁から複数のアームが前方へ延設され、各アームの先端部に固定ブラケットが固定され、これらの固定ブラケットに並列して取り付けられている複数の既存の庇パラペットを交換するときに使用される庇パラペットの交換方法において、
前記庇パラペットに本発明の庇パラペットを使用し、当該庇パラペットの位置調整部で前記固定ブラケットへの取り付け位置を調整した後に当該庇パラペットを前記固定ブラケットに取り付けることを特徴とする。
【発明の効果】
【００１４】
本発明では、庇パラペットに、当該庇パラペットを固定ブラケットに仮置きさせて固定ブラケットへの取り付け位置を調整する位置調整部を設けた。このため、庇パラペットを固定ブラケットに取り付ける際には位置調整部で取り付け位置を調整することにより、施工完了時には隣接する庇パラペットの目地の間隔や並びにばらつきが生じるのが抑えられる。よって、本発明は、軒先の外観品質を向上させることができる。
【図面の簡単な説明】
【００１５】
【図１】本発明の一実施の形態の庇パラペットの交換後の軒先構造の断面図である。
【図２】同実施の形態の庇パラペットの交換前の軒先構造の斜視図である。
【図３】同実施の形態の庇パラペットの分解側面図である。
【図４】同実施の形態の庇パラペットが取り付けられた状態の斜視図である。
【図５】同実施の形態の庇パラペットの交換方法を示すフローチャートである。
【図６】同実施の形態の庇パラペット上部材の取り付け場所の手順を示す説明図である。
【図７】同実施の形態の庇パラペットの取り付け手順を示す説明図である。
【発明を実施するための形態】
【００１６】
以下、本発明の実施の形態を図にしたがって説明する。
【００１７】
図１は、本発明の一実施の形態の軒先構造の断面図である。この軒先構造は、庇パラペットの交換後を示すものである。ここでは、軒先構造の全体的な構成を説明する。この軒先構造は、建物の上部に設けられた屋根材１０１の軒先の下方に梁１０２が軒先に沿うように配置されている。梁１０２には、複数のアーム１０３の後端部が固定されている。
【００１８】
複数のアーム１０３は、梁１０２と平行に並んで配置されており、それぞれ梁１０２から前方へ延びて形成されている。各アーム１０３の先端部には、それぞれ固定ブラケット１０４が固定されている。これらの固定ブラケット１０４には、本発明の庇パラペット１が複数並列して取り付けられている。また、隣接する庇パラペット１，１は、接続部材であるジョイナー（図示せず）を介して接続されている。
【００１９】
固定ブラケット１０４と梁１０２との間には、軒樋１０６が梁１０２と平行に配置されている。この軒樋１０６は、各アーム１０３の上面に取り付けられている。軒樋１０６の下部には縦樋１０７が接続されている。
【００２０】
アーム１０３の下面には、軒天井１０８が取り付けられている。庇パラペット１と梁１０２との間口には、カバー１０９が取り付けられている。このカバー１０９は、雪やゴミ等を受け止めて、雪やゴミ等が軒樋１０６内に入らないようにするものである。
【００２１】
図２は、庇パラペットの交換前の軒先構造の斜視図である。この軒先構造は、固定ブラケット１０４に既存の庇パラペット１１０が取り付けられている。
【００２２】
アーム１０３は、前述したように梁１０２（図１参照）から前方へ延設され、左方に開口した断面コ字状の板状に形成されている。
【００２３】
固定ブラケット１０４は、左側面でアーム１０３の先端部（前端部）に固定されている。この固定ブラケット１０４は板状に形成されている。
【００２４】
固定ブラケット１０４の前面１０４ａは屈曲して形成されている。この前面１０４ａは、固定ブラケット１０４の上面１０４ｂの前端から前方に斜めに形成された上斜面１４１ａと、上斜面１４１ａの下端から後方に斜めに形成された下斜面１４２ａとを備えている。
【００２５】
固定ブラケット１０４の上面１０４ｂには、板状の取り付け金具１４０が取り付けられている。この取り付け金具１４０は、既存の庇パラペット１１０や本発明の庇パラペット１を固定ブラケット１０４に取り付けるためのものである。
【００２６】
次に、図１、図３、図４を用いて本発明の庇パラペット１の構造を説明する。この庇パラペット１は、上下に分割された板状の庇パラペット上部材１０と板状の庇パラペット下部材２０とから形成されている。
【００２７】
庇パラペット上部材１０は、更に上下に分割された庇パラペット第１上部材１１と、庇パラペット第２上部材１２とから形成されている。庇パラペット第１上部材１１と庇パラペット第２上部材１２は、工場にて複数の結合部材２１０（ビスやリベット等）により結合されて一体化されている。
【００２８】
庇パラペット第１上部材１１は、庇パラペット上部材１０の上半部を形成している。この庇パラペット第１上部材１１は、各固定ブラケット１０４の上面１０４ｂと前面１０４ａの上斜面１４１ａの上半分とを覆って取り付け金具１４０に取り付けられるように形成されている。
【００２９】
具体的に説明すると、庇パラペット第１上部材１１の上半部１１ａは、各固定ブラケット１０４の上面１０４ｂと前面１０４ａの上斜面１４１ａの上半分に当接するように逆Ｌ字状に形成されている。
【００３０】
また、上半部１１ａの上部１１１ａは、各固定ブラケット１０４の上面１０４ｂに取り付け金具１４０とカバー１０９とを介して載せられるように形成されている。さらに、上部１１１ａの先端には、本発明の位置調整部１１２ａ（リブ）が下方に延出して形成されている。この位置調整部１１２ａは、カバー１０９と取り付け金具１４０の角部１４０ａとを介して固定ブラケット１０４の上部１０４ｄに係止するように形成されている。
【００３１】
庇パラペット第１上部材１１の下半部１１ｂは、上半部１１ａの下端から前方へ屈曲して下方へ延びて形成されている。この下半部１１ｂは、上半部１１aが各固定ブラケット１０４の上部１０４ｄに係止された状態で各固定ブラケット１０４の前面１０４ａから離間するように形成されている。
【００３２】
また、下半部１１ｂの下端部１１１ｂは、結合部材２１０が取り付けられるように後方側（固定ブラケット１０４側）に屈曲されている。
【００３３】
庇パラペット第２上部材１２は、庇パラペット上部材１０の下半部を形成しており上下に延びて形成されている。この庇パラペット第２上部材１２は、庇パラペット第１上部材１１に結合された状態で、各固定ブラケット１０４の前面１０４ａの上斜面１４１ａと下斜面１４２ａとの境に当接し、且つ、上斜面１４１ａの下半分と下斜面１４２ａの上半分とを覆うように形成されている。
【００３４】
庇パラペット第２上部材１２の上端部１２ａは、結合部材２１０が取り付けられるように後方側（固定ブラケット１０４側）に屈曲されており、庇パラペット第１上部材１１の下端部１１１ｂと面接している。上端部１２ａと下端部１１１ｂはこの状態で結合部材２１０により結合されている。これにより庇パラペット第１上部材１１と庇パラペット第２上部材１２は一体化されている。
【００３５】
庇パラペット第２上部材１２の下端部１２ｂの後面には、凸条１２ｃが左右に延びて形成されている。下端部１２ｂの後面には、逆Ｌ字状の取り付け部１２ｄが凸条１２ｃよりも上側の位置に左右に延びて形成されている。
【００３６】
この取り付け部１２ｄは、下端部１２ｂの後面から後方に延びる水平部１２１ｄと、水平部１２１ｄの後端から下方且つ後方に斜めに延びる斜め部１２２ｄとを備えている。この斜め部１２２ｄは、各固定ブラケット１０４の前面１０４ａの下斜面１４２ａに面接して取り付けられるように形成されている。
【００３７】
また、図３に示すように凸条１２ｃと取り付け部１２ｄとの間には、庇パラペット下部材２０の上端部２０ａを嵌め込むための嵌合部１２ｓ（空間）が形成されている。
【００３８】
庇パラペット下部材２０は、各固定ブラケット１０４の前面１０４ａの下斜面１４２ａの下半部と底面１０４ｃとを覆って底面１０４ｃに取り付けられるように形成されている。
【００３９】
庇パラペット下部材２０の上端部２０ａは、庇パラペット第２上部材１２の嵌合部１２ｓに嵌め込むことが可能なように前方へ屈曲されて形成されている。
【００４０】
庇パラペット下部材２０の底部２０ｂは、各固定ブラケット１０４の底面１０４ｃを覆うように形成されている。この底部２０ｂは、前側部分２０１ｂが後側部分２０２ｂよりも下方に突出して形成されている。これにより前側部分２０１ｂと後側部分２０２ｂとの間には段差部２０３ｂが設けられている。
【００４１】
次に、庇パラペットの交換方法を説明する。図５は、庇パラペットの交換方法を示すフローチャートである。この庇パラペットの交換方法では、ステップＳ１で既存の庇パラペット１１０の取り外しを行う。続いて、ステップＳ２で庇パラペット上部材１０の仮置き（仮取り付け）を行い、ステップＳ３で庇パラペット上部材１０の取り付け位置の調整を行う。続いて、ステップＳ４で庇パラペット上部材１０の本取り付けを行い、最後にステップＳ５で庇パラペット下部材２０の取り付けを行う。以下に各ステップの具体的な内容について説明する。
【００４２】
（ステップＳ１：庇パラペット１１０の取り外し）
既存の庇パラペット１１０（図２参照）を各固定ブラケット１０４から取り外す。さらに、隣接する庇パラペット１１０，１１０を接続しているジョイナー（図示せず）を取り外す。続いて、各アーム１０３や各固定ブラケット１０４の点検を行い、必要であれば補修を行う。
【００４３】
（ステップＳ２：庇パラペット上部材１０の仮置き）
まず、図６を用いて、庇パラペット上部材１０の取り付け場所の手順を説明する。最初に、図６の（ａ）に示すように、庇パラペット上部材１０を屋根１００の出隅に仮置きする。次に、図６の（ｂ）の黒塗りで示すように、庇パラペット上部材１０を屋根１００の入隅に仮置きする。最後に、図６の（ｃ）の黒塗りで示すように、庇パラペット上部材１０を残りの部分に仮置きする。
【００４４】
次に、庇パラペット上部材１０の仮置き方法を説明する。最初に、図示しないが、庇パラペット上部材１０の左右一方側にジョイナーを奥まで差し込む。
【００４５】
続いて、図７の（ａ）に示すように、庇パラペット上部材１０を各固定ブラケット１０４の上面１０４ｂと前面１０４ａとを覆うようにして仮置きをする。
【００４６】
具体的には、庇パラペット第１上部材１１の位置調整部１１２ａを、カバー１０９と取り付け金具１４０の角部１４０ａとを介して固定ブラケット１０４の上部１０４ｄに引っ掛けて係止させ、上半部１１ａを各固定ブラケット１０４の上面１０４ｂと前面１０４ａの上斜面１４１ａに当接させる。
【００４７】
続いて、庇パラペット第２上部材１２を、各固定ブラケット１０４の前面１０４ａの上斜面１４１ａと下斜面１４２ａとの境に当接させて、取り付け部１２ｄの斜め部１２２ｄを前面１０４ａの下斜面１４２ａに面接させる。これにより庇パラペット上部材１０は、各固定ブラケット１０４に仮置きした状態になる。
【００４８】
（ステップＳ３：庇パラペット上部材１０の取り付け位置の調整）
図７の（ａ）に示すように庇パラペット上部材１０を各固定ブラケット１０４に仮置きした状態で、図示しないが、庇パラペット上部材１０からジョイナーを半分抜き出して、隣の庇パラペット上部材１０の左右他方側に差し込む。
【００４９】
この状態で、庇パラペット上部材１０を左右に動かして、隣接する庇パラペット上部材１０，１０の目地Ｓ（図６の（ｃ）参照）の間隔が同じになるように各庇パラペット上部材１０の固定ブラケット１０４への取り付け位置を調整する。
【００５０】
（ステップＳ４：庇パラペット上部材１０の本取り付け）
図７の（ｂ）に示すように、各庇パラペット上部材１０の上半部１１ａを結合部材２１１で取り付け金具１４０に固定し、取り付け部１２ｄの斜め部１２２ｄを結合部材２１２で固定ブラケット１０４の前面１０４ａの下斜面１４２ａに固定する。なお、結合部材２１１、２１２にはリベットやビス等が使用される。
【００５１】
（ステップＳ５：庇パラペット下部材２０の取り付け）
図７の（ｃ）に示すように、庇パラペット下部材２０を、各固定ブラケット１０４の前面１０４ａの下斜面１４２ａの下半部と底面１０４ｃとを覆って底面１０４ｃに取り付ける。
【００５２】
具体的に説明すると、最初に、庇パラペット下部材２０の上端部２０ａを、庇パラペット上部材１０の嵌合部１２ｓ（図７の（ｂ）参照）に嵌め込み、庇パラペット上部材１０と左右の位置を合わせる。
【００５３】
続いて、庇パラペット下部材２０の底部２０ｂの後側部分２０２ｂを、各固定ブラケット１０４の底面１０４ｃに面接させて結合部材２１３（リベットやビス等）により固定する。これにより、庇パラペット１が形成される。
【００５４】
以上説明したように本実施の形態では、庇パラペット１に、庇パラペット１を固定ブラケット１０４に仮置きさせて固定ブラケット１０４への取り付け位置を調整する位置調整部１１２ａを設けた。このため、庇パラペット１を固定ブラケット１０４に取り付ける際には位置調整部１１２ａで取り付け位置を調整することにより、施工完了時には、隣接する庇パラペット１，１の目地Ｓの間隔や並びにばらつきが生じるのが抑えられる。よって、本実施の形態の庇パラペット１および庇パラペット１の交換方法は、軒先の外観品質を向上させることができる。
【００５５】
また、本実施の形態の庇パラペット１では、位置調整部１１２ａが、固定ブラケット１０４の上部１０４ｄに係止することにより庇パラペット１を固定ブラケット１０４に仮置きさせるものとした。したがって、庇パラペット１の取り付け位置の調整作業が容易になる。よって、本実施の形態の庇パラペット１は、取り付け作業の作業効率を上げることができる。
【００５６】
また、本実施の形態の庇パラペット１では、位置調整部１１２ａを一体に形成することにより固定ブラケット１０４に仮置き可能な形状に形成した。したがって、庇パラペット１の取り付け位置の調整作業に特別な冶具や部材を必要としないので調整作業が容易になる。よって、本実施の形態の庇パラペット１は、取り付け作業の作業効率をさらに上げることができる。
【００５７】
また、本実施の形態の庇パラペット１では、上下に分割された庇パラペット上部材１０と庇パラペット下部材２０とから形成されたものを使用した。これにより庇パラペット１を固定ブラケット１０４に取り付ける際には、最初に庇パラペット上部材１０を固定ブラケット１０４に取り付け、次に庇パラペット下部材２０を固定ブラケット１０４に取り付けることが可能になる。よって、本実施の形態の庇パラペット１は、屋根という危険を伴う高所であっても取り付け作業を容易に行うことができる。
【００５８】
さらに、本実施の形態の庇パラペット１では、庇パラペット上部材１０に位置調整部１１２ａを設けた。これにより、庇パラペット上部材１０の取り付け作業時に庇パラペット１の取り付け位置の調整も行うことが可能になる。よって、本実施の形態の庇パラペット１は、取り付け作業の作業効率をさらに上げることができる。
【００５９】
また、本実施の形態の庇パラペット１では、庇パラペット上部材１０と庇パラペット下部材２０は、嵌合によって接合することにより庇パラペット１を形成するようにした。これにより庇パラペット下部材２０は、先に取り付けた庇パラペット上部材１０の取り付け位置を基準にして位置調整をした上で取り付けを行うことが可能になる。したがって、施工完了時には、隣接する庇パラペット１，１の目地Ｓの間隔や並びにばらつきが生じるのがさらに抑えられる。よって、本実施の形態の庇パラペット１は、軒先の外観品質をさらに向上させることができる。
【００６０】
また、本実施の形態の庇パラペット１では、庇パラペット下部材２０が、固定ブラケット１０４の底面１０４ｃを覆う底部２０ｂを有し、この底部２０ｂに段差部２０３ｂを設けた。これにより雨水が固定ブラケット１０４の前面１０４ａから底部２０ｂにつたっていっても段差部２０３ｂに到達すると落下する、いわゆる水切りがなされるので庇パラペット１の裏側に雨水が回り込むのを防ぐことが可能になる。よって、本実施の形態の庇パラペット１は、軒先の防水性を上げることができる。
【００６１】
さらに、本実施の形態の庇パラペット１では、底部２０ｂの後側部分２０２ｂを結合部材２１３で固定ブラケット１０４の底面１０４ｃに固定するようにした。このため、庇パラペット１の前面１０４ａからは結合部材２１３が前側部分２０１ｂで隠れて見えにくくなる。よって、本実施の形態の庇パラペット１は、軒先の外観品質をさらに向上させることができる。
【００６２】
また、本実施の形態の庇パラペット１では、庇パラペット上部材１０と庇パラペット下部材２０とで庇パラペット１を形成したときに、庇パラペット下部材２０の上端部２０ａで庇パラペット上部材１０の結合部材２１２を隠すようにした。このため、庇パラペット１の前面１０４ａから結合部材２１２が見えにくくなる。よって、本実施の形態の庇パラペット１は、軒先の外観品質をさらに向上させることができる。
【００６３】
また、本実施の形態の庇パラペット１では、庇パラペット上部材１０の上部（上半部１１ａの上部１１１ａ）で結合部材２１１により固定ブラケット１０４に固定した。このため、庇パラペット１の前面１０４ａからは結合部材２１１が見えにくくなる。よって、本実施の形態の庇パラペット１は、軒先の外観品質をさらに向上させることができる。
【００６４】
また、本実施の形態の庇パラペット１では、庇パラペット上部材１０において、庇パラペット第１上部材１１と庇パラペット第２上部材１２との接合部分（庇パラペット第１上部材１１の下端部１１１ｂ、庇パラペット第２上部材１２の上端部１２ａ、結合部材２１０）を庇パラペット上部材１０の裏側（後方側）に設定した。このため、庇パラペット１の前面１０４ａからはこの接合部分は見えなくなる。よって、本実施の形態の庇パラペット１は、軒先の外観品質をさらに向上させることができる。
【００６５】
以上、本発明にかかる実施の形態を例示したが、この実施の形態は本発明の内容を限定するものではない。また、本発明の請求項の範囲を逸脱しない範囲であれば、各種の変更等は可能である。
【００６６】
例えば、本実施の形態では、庇パラペット１の位置調整部１１２ａをカバー１０９と取り付け金具１４０とを介して固定ブラケット１０４の上部１０４ｄに係止するようにしたが、固定ブラケット１０４の上部１０４ｄに直接係止するようにしても良い。
【００６７】
また、本実施の形態では、庇パラペット１を、上下に分割された庇パラペット上部材１０と庇パラペット下部材２０とから形成されるものとしたが、一体に形成されるものでも良い。この場合でも、庇パラペットに位置調整部を設けることにより、軒先の外観品質を向上させることができる。
【００６８】
また、本実施の形態では、庇パラペット上部材１０に位置調整部１１２ａを設けたが、庇パラペット下部材２０に位置調整部を設けても良いし、あるいは、庇パラペット上部材１０と庇パラペット下部材２０の双方に位置調整部を設けても良い。
【産業上の利用可能性】
【００６９】
以上説明したように本発明の庇パラペットおよび庇パラペットの交換方法は、軒先の外観品質を向上させることができる。したがって、本発明を、庇パラペットの交換に係る技術分野で十分に利用することができる。
【符号の説明】
【００７０】
１    庇パラペット
１０    庇パラペット上部材
１１    庇パラペット第１上部材
１２    庇パラペット第２上部材
２０    庇パラペット下部材
２０ｂ    庇パラペット下部材の底部
１０２    梁
１０３    アーム
１０４    固定ブラケット
１０４ｃ    固定ブラケットの底面
１０４ｄ    固定ブラケットの上部
１１２ａ    位置調整部
２０３ｂ    段差部
【図１】
2015221988.tif 000003
【図２】
2015221988.tif 000004
【図３】
2015221988.tif 000005
【図４】
2015221988.tif 000006
【図５】
2015221988.tif 000007
【図６】
2015221988.tif 000008
【図７】
2015221988.tif 000009